(57)【要約】【課題】荷重及び地震に対する強度と耐火性を維持しながら、低コストで作業負担のより少ない外断熱構造及び外断熱工法を実現する。【解決手段】建物躯体の外壁面を覆う耐火断熱ボードと、前記耐火断熱ボードの表面に沿って鉛直方向に延在する角筒状縦枠材と、前記建物躯体の外壁面に対して垂直に前記耐火断熱ボードを貫通し、一端が該建物躯体の外壁面に他端が前記角筒状縦枠材にそれぞれ固定された寸切ボルトと、を有し、前記角筒状縦枠材が水平方向に所定の間隔で複数配置されると共に、前記寸切ボルトが鉛直方向に所定の間隔で複数配置される。【選択図】図１
2019065681.tif 000002
【特許請求の範囲】
【請求項１】
建物躯体の外壁面を覆う耐火断熱ボードと、
前記耐火断熱ボードの表面に沿って鉛直方向に延在する角筒状縦枠材と、
前記建物躯体の外壁面に対して垂直に前記耐火断熱ボードを貫通し、一端が該建物躯体の外壁面に他端が前記角筒状縦枠材にそれぞれ固定された寸切ボルトと、を有し、
前記角筒状縦枠材が水平方向に所定の間隔で複数配置されると共に、
前記寸切ボルトが鉛直方向に所定の間隔で複数配置されることを特徴とする外断熱構造。
【請求項２】
前記耐火断熱ボードが撥水処理されたグラスウールからなることを特徴とする請求項１に記載の外断熱構造。
【請求項３】
建物躯体の外壁面に対して垂直に延在する寸切ボルトの一端を該建物躯体の外壁面に固定する工程と、
前記寸切ボルトを貫通させて前記建物躯体の外壁面を覆うように耐火断熱ボードを取り付ける工程と、
前記耐火断熱ボードの表面に沿って鉛直方向に延在する角筒状縦枠材を配置する工程と、
前記寸切ボルトの他端を前記角筒状縦枠材に固定する工程と、を有し、
前記角筒状縦枠材が水平方向に所定の間隔で複数配置されると共に、
前記寸切ボルトが鉛直方向に所定の間隔で複数配置されることを特徴とする外断熱工法。
【請求項４】
前記耐火断熱ボードが撥水処理されたグラスウールからなることを特徴とする請求項３に記載の外断熱工法。
【発明の詳細な説明】
【技術分野】
【０００１】
本発明は、建物躯体の外壁面に断熱材を配置するための外断熱構造及び外断熱工法に関する。
【背景技術】
【０００２】
特許文献１に開示されるような外断熱工法は、内断熱工法に比べて結露等の問題を生じない点で優れていることが認識されているが、現状ではコストが高いためにそれほど普及していない。
【０００３】
特許文献１に記載の外断熱工法では、躯体外壁面と、複数の角筒状の外装材取付縦枠との間に断熱材を挟むように配置し、外装材取付縦枠の外側に外装材を取り付ける。躯体外壁面と外装材取付縦枠との連結において、外壁面に垂直な支持棒並びに外壁面に対して傾斜した横揺れ防止具及び補強具とを用いている。
【先行技術文献】
【特許文献】
【０００４】
【特許文献１】特開２０００−３４５６８４号公報
【発明の概要】
【発明が解決しようとする課題】
【０００５】
特許文献１の外断熱工法は、断熱材の固定金具として、外壁面に垂直な支持棒に加え外壁面に対して傾斜した横揺れ防止具及び補強具を用いる。したがって、部品及び作業量が多くなるためコストが高くなる。
【０００６】
以上の問題点に鑑み本発明の目的は、荷重や地震等に対する強度と耐火性を維持しながら、低コストで作業負担の少ない外断熱構造及び外断熱工法を実現することである。
【課題を解決するための手段】
【０００７】
上記の課題を解決すべく、本発明は以下の構成を提供する。括弧内の数字は、後述する図面中の符号であり、参考のために付するものである。
・  本発明の外断熱構造の態様は、建物躯体の外壁面を覆う耐火断熱ボードと、
前記耐火断熱ボードの表面に沿って鉛直方向に延在する角筒状縦枠材と、
前記建物躯体の外壁面に対して垂直に前記耐火断熱ボードを貫通し、一端が該建物躯体の外壁面に他端が前記角筒状縦枠材にそれぞれ固定された寸切ボルトと、を有し、
前記角筒状縦枠材が水平方向に所定の間隔で複数配置されると共に、
前記寸切ボルトが鉛直方向に所定の間隔で複数配置されることを特徴とする。
・  本発明の外断熱工法の態様は、建物躯体の外壁面に対して垂直に延在する寸切ボルトの一端を該建物躯体の外壁面に固定する工程と、
前記寸切ボルトを貫通させて前記建物躯体の外壁面を覆うように耐火断熱ボードを取り付ける工程と、
前記耐火断熱ボードの表面に沿って鉛直方向に延在する角筒状縦枠材を配置する工程と、
前記寸切ボルトの他端を前記角筒状縦枠材に固定する工程と、を有し、
前記角筒状縦枠材が水平方向に所定の間隔で複数配置されると共に、
前記寸切ボルトが鉛直方向に所定の間隔で複数配置されることを特徴とする外断熱工法。
・  上記各態様において、前記耐火断熱ボードが撥水処理されたグラスウールからなることが好適である。
【発明の効果】
【０００８】
本発明によれば、低コストで作業負担の少ない外断熱構造及び外断熱工法を実現できる。
【図面の簡単な説明】
【０００９】
【図１】図１は、本発明による外断熱構造の一例を概略的に示す部分切欠き斜視図である。
【図２】。図２は、図１の外断熱構造の一部を上面から視た拡大断面図である。
【発明を実施するための形態】
【００１０】
以下、本発明の実施例を示した図面を参照しつつ本発明の実施形態を説明する。
図１は、本発明による外断熱構造の一例を概略的に示す部分切欠き斜視図である。図２は、図１の外断熱構造の一部を上面から視た拡大断面図である。
【００１１】
建物躯体９は、好適には、鉄筋コンクリート造、鉄骨鉄筋コンクリート造等のコンクリート構造躯体である。しかしながら、本発明の外断熱構造は、木造躯体の他、軽量コンクリート板、石、レンガ、ブロック等を含む躯体にも適用可能である。
【００１２】
耐火断熱ボード２は、基本的に建物躯体９の外壁面全体を覆っている。耐火断熱ボード２は、好適にはグラスウールである。撥水処理されたグラスウールがさらに好適である。グラスウールが撥水処理されることより、屋外側から雨水等が浸入した場合にも耐火断熱ボード２より内側への浸入を防ぐことができる。建物の全面を耐火断熱ボード２が覆うことになるので、躯体コンクリートに日射と雨が当たらず、建物劣化を防止することができる。この結果、建物の耐久性が向上する。
【００１３】
図示の例では、耐火断熱ボード２の必要な厚さを得るために、２枚のグラスウールのボードを重ねて用いており、２層になっている。例えば、厚さ３０ｍｍのボードを２枚重ねたり、寒冷地仕様では厚さ５０mmと２５ｍｍのものを重ねたりする。本発明の構成によれば、厚さ６０ｍｍのグラスウールの耐火断熱ボード２において、熱貫流率０．５１Ｗ／ｍ２・Ｋが得られる。
【００１４】
コンクリート構造躯体は熱容量が大きいため、外断熱構造とすることによって屋内で発生した冬の暖熱や熱の冷熱を吸収蓄熱し、その熱を再利用できるため、省エネルギー効果が大きい。
【００１５】
外断熱構造では建物躯体の外側に断熱構造を有するので、コンクリートの建物躯体と室内の温度が同じになり、温度差による結露やカビの発生が抑制される。この結果、室内環境が安定し良好な衛生状態を維持できる。また、結露に起因する建物の修繕費用も低減される。
【００１６】
さらに、耐火断熱ボード２の表面に沿って、鉛直方向に延在する角筒状縦枠材３が配置される。角筒状縦枠材３は、建物躯体９の外壁面との間に耐火断熱ボード２を挟み、圧着固定して支持するための部材である。また、角筒状縦枠材３は、いわゆる胴縁の役割も果たし、外装材４を固定するための下地としても用いられる。角筒状縦枠材３は、例えば高耐食溶融メッキ鋼板製の角パイプである。図１及び図２の例では、断面が正方形のものと長方形のものが示されているが、適宜、使い分けられる。図１に示すように、必要に応じて、角筒状縦枠材３に沿って断面Ｌ字状のアングル縦枠材６を固定してもよい。
【００１７】
建物躯体９の外壁面と、角筒状縦枠材３との間を連結するために、寸切ボルト１が用いられる。寸切ボルト１は、特許文献１の固定金具に比べてシンプルであるので、低コストに実現できる。加えて、耐荷重及び耐震性を確保しながら、熱橋を最小限とすることができる。寸切ボルト１は、建物躯体９の外壁面に対して垂直に耐火断熱ボード２を貫通している。
【００１８】
図２を参照すると、寸切ボルト１の一端は、建物躯体９の外壁面に取り付けられたアンカー１１の内螺子に螺合してナット１２により固定されている。寸切ボルト１の他端は、角筒状縦枠材３における躯体側に向いた面を貫通し、当該面の両側でナット１３、１４により固定されている。図１に示す角筒状縦枠材３の外側に向いた面に形成された孔３ａは、ナット１４を回す工具を挿入するためのものである。これらの固定金具類は、全てステンレス製が好ましい。
【００１９】
以上に述べた外断熱構造の構成要素は、全て不燃材で形成されている。これにより火災時の延焼、有毒ガスの発生及び住民の危険性を回避し、建物の損傷を軽減することができる。
【００２０】
図１に示すように角筒状縦枠材３は、水平方向に所定の間隔Ｄ１で複数配置されている。所定の間隔は、耐荷重及び耐震性を考慮して決定される。例えば、角筒状縦枠材３の断面が３０ｍｍ×３０ｍｍ×１．６ｍｍの場合、４５０ｍｍ〜６００ｍｍの間隔での配置を標準とする。隣り合う角筒状縦枠材３同士の間の空間は、通気層Ｓを形成する。すなわち角筒状縦枠材３の厚さが、通気層Ｓの厚さとなる。この通気層Ｓは、下端と上端が屋外と通じており、空気が流通することができる。
【００２１】
建物の室内で常に発生する水蒸気は、建物躯体９を通過して耐火断熱ボード２へと移行する。したがって、耐火断熱ボード２は、水蒸気の通過抵抗が低く通過しやすい材質であることが好ましい。仮に水蒸気が耐火断熱ボード２内に滞留すると、断熱性能が低下し、ボードに割れや膨れを生じさせることがある。耐火断熱ボード２を通過した水蒸気がこの通気層Ｓを通って屋外へ速やかに排出されることにより、耐火断熱ボード２及び外装材４の双方の劣化に影響を及ぼさない。
【００２２】
また、寸切ボルト１も鉛直方向に所定の間隔Ｄ２で複数配置されている。この場合も、所定の間隔は、耐荷重及び耐震性を考慮して決定される。例えば、寸切ボルト１が直径１０ｍｍ、ＳＵＳ３０４の場合、４５０ｍｍ〜５５０ｍｍの間隔での配置を標準とする。
【００２３】
以下、本発明の外断熱構造の施工方法の一例を、図２を参照して説明する。
先ず、構造躯体９の外壁面にアンカー１１を埋設する。次に、寸切ボルト１に予めナット１２を装着しておいてから、アンカー１１の内螺子の奥まで寸切ボルト１をねじ込む。その後、ナット１２を締め込む。次に、耐火断熱ボード２を貼り付ける。このとき、寸切ボルト１の先端に耐火断熱ボード２を押し付けて、寸切ボルト１を貫通させる。本発明では、特許文献１の固定金具の場合のように、断熱ボードにカッター等で切り込みを入れる必要は無い。
【００２４】
耐火断熱ボード２の設置が完了した時点で、耐火断熱ボード２の表面から寸切ボルト１の先端が突出している。その先端にナット１３を装着してから、角筒状縦枠材３を取り付ける。その後、角筒状縦枠材３の表側の孔からナット１４を挿入し、寸切ボルト１の先端に締結する。
【００２５】
その後、角筒状縦枠材３を下地として、適宜、外装材を取り付ける。
【００２６】
以上に説明した本発明の実施形態は一例を示したものである。また、図示の例以外にも、設計的変更による多様な変形形態が可能であり、それらについても本発明に含まれるものとする。
【符号の説明】
【００２７】
１  寸切ボルト
１１  アンカー
１２  ナット
１３  ナット
１４  ナット
２  耐火断熱ボード
３  角筒状縦枠材
４  外装材
６  アングル縦枠材
９  建物躯体
【図１】
2019065681.tif 000003
【図２】
2019065681.tif 000004